【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】
第１の所定のフルスケール値を有する波形により表されるパルス密度変調（ＰＤＭ）デジタル信号のデジタル・アナログ変換におけるＳ／Ｎ比を改善する方法であって、
上記ＰＤＭデジタル信号が第２の所定のフルスケール値を有する信号成分を含み、上記デジタル・アナログ変換が第３の所定のフルスケール値を有するアナログ出力信号を生成し、上記方法が、
上記ＰＤＭデジタル信号から上記信号成分を抽出して上記第２のフルスケール値を有する抽出デジタル信号を発生するステップと、
上記抽出信号の上記第２のフルスケール値を上記アナログ出力信号の上記第３のフルスケール値に整合させるステップと、
上記整合された第２のフルスケール値を有する上記抽出信号のデジタル・アナログ変換を行なって上記第３の所定のフルスケール値を有する上記アナログ出力信号を生成するステップと、
を有するＳ／Ｎ比改善方法。
【請求項２】
第１の所定のフルスケール値を有する波形により表されるパルス密度変調（ＰＤＭ）デジタル信号のデジタル・アナログ変換におけるＳ／Ｎ比を改善する方法であって、
上記ＰＤＭデジタル信号が第２の所定のフルスケール値を有する信号成分を含み、上記デジタル・アナログ変換が第３の所定のフルスケール値を有するアナログ出力信号を生成し、上記方法が、
上記ＰＤＭデジタル信号から上記信号成分を抽出して上記第２のフルスケール値を有する抽出デジタル信号を発生するステップと、
上記抽出信号の上記第２のフルスケール値を上記アナログ出力信号の上記第３のフルスケール値に整合させるように増幅因子に従って上記抽出信号の振幅を増加させるステップと、
上記整合された第２のフルスケール値を有する上記抽出信号のデジタル・アナログ変換を行なって上記第３の所定のフルスケール値を有する上記アナログ出力信号を生成するステップと、
を有するＳ／Ｎ比改善方法。
【請求項３】
上記第１の所定のフルスケール値が参照電圧によって決定される請求項２に記載のＳ／Ｎ比改善方法。
【請求項４】
第１の所定のフルスケール値を有する波形により表されるパルス密度変調（ＰＤＭ）デジタル信号のデジタル・アナログ変換におけるＳ／Ｎ比を改善する方法であって、
上記ＰＤＭデジタル信号が第２の所定のフルスケール値を有する信号成分を含み、上記デジタル・アナログ変換が第３の所定のフルスケール値を有するアナログ出力信号を生成し、上記方法が、
上記ＰＤＭデジタル信号をデジタル・ローパス・フィルタリングすることにより上記ＰＤＭデジタル信号から上記信号成分を抽出して上記第２のフルスケール値を有する抽出デジタル信号を発生するステップと、
上記抽出信号の上記第２のフルスケール値を上記アナログ出力信号の上記第３のフルスケール値に整合させるステップと、
上記整合された第２のフルスケール値を有する上記抽出信号のデジタル・アナログ変換を行なって上記第３の所定のフルスケール値を有する上記アナログ出力信号を生成するステップと、
を有するＳ／Ｎ比改善方法。
【請求項５】
第１の所定のフルスケール値を有する波形により表されるパルス密度変調（ＰＤＭ）デジタル信号のデジタル・アナログ変換におけるＳ／Ｎ比を改善する方法であって、
上記ＰＤＭデジタル信号が第２の所定のフルスケール値を有する信号成分を含み、上記デジタル・アナログ変換が第３の所定のフルスケール値を有するアナログ出力信号を生成し、上記方法が、
上記ＰＤＭデジタル信号をデシメーション・フィルタリングすることにより上記ＰＤＭデジタル信号から上記信号成分を抽出して上記第２のフルスケール値を有する抽出デジタル信号を発生するステップと、
上記抽出信号の上記第２のフルスケール値を上記アナログ出力信号の上記第３のフルスケール値に整合させるステップと、
上記整合された第２のフルスケール値を有する上記抽出信号のデジタル・アナログ変換を行なって上記第３の所定のフルスケール値を有する上記アナログ出力信号を生成するステップと、
を有するＳ／Ｎ比改善方法。
【請求項６】
第１の所定のフルスケール値を有する波形により表されるパルス密度変調（ＰＤＭ）デジタル信号のデジタル・アナログ変換におけるＳ／Ｎ比を改善する方法であって、
上記ＰＤＭデジタル信号が第２の所定のフルスケール値を有する信号成分を含み、上記デジタル・アナログ変換が第３の所定のフルスケール値を有するアナログ出力信号を生成し、上記方法が、
上記ＰＤＭデジタル信号から上記信号成分を抽出して上記第２のフルスケール値を有する抽出デジタル信号を発生するステップと、
上記アナログ出力信号を所定の歪み数よりも小さくさせる値を有する増幅因子を上記抽出信号にデジタル的に乗算することにより上記抽出信号の上記第２のフルスケール値を上記アナログ出力信号の上記第３のフルスケール値に整合させるように増幅因子に従って上記抽出信号の振幅を増加させるステップと、
上記整合された第２のフルスケール値を有する上記抽出信号のデジタル・アナログ変換を行なって上記第３の所定のフルスケール値を有する上記アナログ出力信号を生成するステップと、
を有するＳ／Ｎ比改善方法。
【請求項７】
第１の所定のフルスケール値を有する波形により表されるパルス密度変調（ＰＤＭ）デジタル信号のデジタル・アナログ変換におけるＳ／Ｎ比を改善する方法であって、
上記ＰＤＭデジタル信号が第２の所定のフルスケール値を有する信号成分を含み、上記デジタル・アナログ変換が第３の所定のフルスケール値を有するアナログ出力信号を生成し、上記方法が、
上記ＰＤＭデジタル信号から上記信号成分を抽出して上記第２のフルスケール値を有する抽出デジタル信号を発生するステップと、
上記アナログ出力信号に少なくとも所定のＳ／Ｎ比を持たせる値を有する増幅因子を上記抽出信号にデジタル的に乗算することにより上記抽出信号の上記第２のフルスケール値を上記アナログ出力信号の上記第３のフルスケール値に整合させるように増幅因子に従って上記抽出信号の振幅を増加させるステップと、
上記整合された第２のフルスケール値を有する上記抽出信号のデジタル・アナログ変換を行なって上記第３の所定のフルスケール値を有する上記アナログ出力信号を生成するステップと、
を有するＳ／Ｎ比改善方法。
【請求項８】
第１の所定のフルスケール値を有する波形により表されるパルス密度変調（ＰＤＭ）デジタル信号のデジタル・アナログ変換におけるＳ／Ｎ比を改善する装置であって、
上記ＰＤＭデジタル信号が第２の所定のフルスケール値を有する信号成分を含み、上記デジタル・アナログ変換が第３の所定のフルスケール値を有するアナログ出力信号を生成し、上記装置が、
上記信号成分を抽出するために上記ＰＤＭデジタル信号をデジタル的にフィルタリングして上記第２のフルスケール値を有するデジタル形式におけるデジタル的にフィルタされた出力信号を発生するデジタル・フィルタリング回路と、
上記デジタル的にフィルタされた出力信号の上記第２のフルスケール値を上記処理の上記第３のフルスケール値に整合させるフルスケール整合回路と、
上記整合された第２のフルスケール値を有する上記抽出信号のデジタル・アナログ変換を行なって上記第３の所定のフルスケール値を有する上記アナログ出力信号を生成するデジタル・アナログ変換回路と、
を有するＳ／Ｎ比改善装置。
【請求項９】
上記デジタル・フィルタリング回路がデジタル・ローパス・フィルタを含む請求項１９に記載のＳ／Ｎ比改善装置。
【請求項１０】
上記デジタル・フィルタリング回路がデシメーション・フィルタを含む請求項１９に記載のＳ／Ｎ比改善装置。
【請求項１１】
上記フルスケール整合回路が上記フィルタされた出力信号をデジタル的に乗算してデジタル形式におけるデジタル的に乗算された出力信号を発生する請求項１９に記載のＳ／Ｎ比改善装置。
【請求項１２】
第１の所定のフルスケール値を有する波形により表されるパルス密度変調（ＰＤＭ）デジタル信号のデジタル・アナログ変換におけるＳ／Ｎ比を改善する装置であって、
上記ＰＤＭデジタル信号が第２の所定のフルスケール値を有する信号成分を含み、上記デジタル・アナログ変換が第３の所定のフルスケール値を有するアナログ出力信号を生成し、上記装置が、
上記信号成分を抽出するために上記ＰＤＭデジタル信号をデジタル的にフィルタリングして上記第２のフルスケール値を有するデジタル形式におけるデジタル的にフィルタされた出力信号を発生するデジタル・ローパス・フィルタと、
上記デジタル的にフィルタされた出力信号の上記第２のフルスケールを上記処理の上記第３のフルスケールに整合させるように増幅因子に従って上記抽出信号の振幅を増加させるゲイン制御回路と、
上記整合された第２のフルスケール値を有する上記抽出信号のデジタル・アナログ変換を行なって上記第３の所定のフルスケール値を有する上記アナログ出力信号を生成するデジタル・アナログ変換回路と、
を有するＳ／Ｎ比改善装置。